(57)【要約】【課題】デスクトップ型コンピューターのキーボード用補助プレートにおいて、手を置いたままで前後左右への移動操作が円滑に出来る事により、長時間作業時の快適使用を可能とした補助プレートを提供する。【解決手段】木質に準ずる調湿機能を有した素材からなる補助プレートＢをキーボードＡの長さに準じた長方形とし、表面に曲面加工を施し調湿自然塗料で滑らかに仕上げ、底面左右に所定の高さを有した弾性半球体Ｃを重心バランスと静止時の安定を考慮しつつ幅Ｇ中央部の所定位置に取り付けることで、キーボード操作時の僅かな重心移動に伴う弾性半球体Ｃの前方運動によって手首の可動支点Ｅが前進し、手を置いたままで前後左右にその可動支点の移動が自在に出来る事により、指先の作動範囲が拡大され自然動作によるキーボードの快適操作性を実現した。【選択図】図１
2008090691.tif 000002
【特許請求の範囲】
【請求項１】
デスクトップ型コンピューターのキーボード補助プレートにおいて、その補助プレートＢの左右底面に弾性素材からなる半球体Ｃを幅Ｇ中央部の所定位置に取り付けることで、キーボードＡ操作時の僅かな重心移動によって生じる弾性半球体Ｃの前方回転に伴う支点Ｅの移動Ｒにより、キーボードＡ上における指先操作の範囲が拡大された事を特徴とするキーボード補助プレート。図１、３参照
【発明の詳細な説明】
【技術分野】
【０００１】
デスクトップ型コンピューターのキーボード補助プレートに関する。
【背景技術】
【０００２】
ノート型パソコンの場合はその用途の性格上、キー配置がコンパクトに整理されてキーボード上に手を置くスペースが機能として確保されており、補助プレート等を必要とする等の不都合な問題点の指摘は少ない。
一方、デスクトップ型のキーボードには当然ながら機能としての手を置けるスペースは無く、机上面に手を置いて使用する場合にはキーボードとの間に段差が生じるため、机上に手を置くことが不都合な場合はパンチング作業時に手首を浮かして操作する必要が生じていた。
【０００３】
上述したデスクトップ型コンピーターのキーボード操作を行なう場合、短時間あるいは間欠的な作業条件下の際は不都合要素が目立つ事もないが、長時間の連続操作を必要とする場合は、常に手を浮かした操作姿勢には無理が生じて不都合を感じる事になる。この場合、机上へ腕を付けての操作時に手首と書類やデスクマット等が密着して手先の可動範囲が制限されて、指先の左右前後の操作が円滑に出来ない状態が多く発生し、その都度に手首を上げて手先の可動支点を移動して置き換える動作が必要となる。
尚、それらの不自然な動作を長時間続けることによって、腕や肩に負担が掛かり疲労蓄積に起因する健康被害が発生していた。
【０００４】
そこでキーボードの補助プレート兼スペーサーとして、長方形（幅６センチ長さ４３センチ高さ２センチ程度）の低反発クッション材を繊維シートで被服して、それに手首を乗せて作業が出来るクッションマットが商品として既に市販されている。
しかし、この商品を使用した場合であっても手を載せたままでの前後左右への手首の可動支点移動は制限され、少し離れたキーへ指先が届かない場合、その都度に手を持ち上げて可動支点を移動する動作が必要となる。
又、汗や手垢で汚れた場合の洗濯の際は乾燥に時間を要してその間の使用が不可となり不都合が生じていた。
【発明の開示】
【発明が解決しようとする課題】
【０００５】
キーボードのフェース面との高さを同位に維持した補助プレートにおいて、その補助プレート上に手を置いたままで前後左右への可動支点の移動操作が円滑に行なえる事により、キーボード操作の範囲を拡大させて長時間に及ぶ作業条件時も疲労が少なく、その素材は調湿機能を有して滑らかな感触を保持し得る材質とし、汗や汚れも簡単に拭き取れて快適使用の維持負担が軽い事を課題とするキーボード用補助プレートを提供する。 
【課題を解決するための手段】
【０００６】
図１の使用断面図に示す補助プレートＢは、木質及びそれに準ずる素材を任意の厚みに調整して幅Ｇの断面に見られる形状となる様に緩やかな曲面加工を成し、図２の形状平面図に示すようにキーボードＡの横幅に準じた長方形（Ｆ×Ｇ）とし、その左右底面に所定の高さを有した弾性素材からなる半球体Ｃを幅Ｇの中央部分の所定位置に、及び弾性小パッキンＤを手元端部の左右底面の所定位置にそれらの機能部品を取り付け、素材の厚みに弾性半球体Ｃの高さを加えてキーボードＡとの高さを同位程度とする事により、本発明のキーボード補助プレートＢが構成される。 
【０００７】
図３の機能断面図に示すようにその機能部材の有効取り付け位置は、請求項１に記載する可動支点の前後移動の機能確保に必要な有効条件として、静止時の補助プレートＢが手元側へ傾斜して手元端部の弾性小パッキンＤが机上面Ｙへ接触し、その形状及び重心を辛うじて保持できる範囲内の位置に弾性半球体Ｃを取り付けることで、手首の可動支点Ｅが幅Ｇの中央部寄りとなり、補助プレートＢがＢ１へと前倒動作する場合の僅かな重心移動に伴って、弾性半球体Ｃが前方へと回転運動をすることにより支点位置がＥ〜Ｅ１へと前進し、補助プレート上に置いた手が必然的に前方へと移動することになり、その移動距離（Ｒ）相当分だけ指先が伸びる事によってキーボードＡ上の操作範囲が拡大する結果、補助プレートＢ上に手を乗せたままでの細やかな指先操作が無意識に行なわれる事となる。
【０００８】
キーボードＡの操作中に、補助プレートＢの手元底辺端部が机上面Ｙと接触・離反を繰り返えす事によって発生する打音を解消するため、弾性小パッキンＤを消音吸収材としてその手元端部の左右底面に設置することで、違和感のない快適使用を可能とした。
又、この弾性小パッキンＤの設置によって生じる机上Ｙと補助プレートＢとの空間が素材の撓みとなって、腕の加重を吸収緩和し疲労を少なくする効果を発揮する。
尚、素材が木質同様の調湿機能を有する材質の表面処理を、自然調湿塗料で繊細な研磨塗装を施して滑らかな仕上りとする事により、手首を補助プレートＢ上に接触させたままでの長Ｆさ方向左右への可動支点の移動が円滑に出来るようになり、上述した請求項１に記載する前後の可動機能と合わせて自然動作による全方位的な自在操作が可能となる。
【発明の効果】
【０００９】
自然動作として無意識の内にその操作性が向上する事により、長時間作業や日常の習慣的操作による疲労蓄積から開放されて健康被害が減少する事になる。
尚、その素材は上述したように調湿機能を有し手触り感が木質同等である事が重要であり、自然木の桜や桧などに見られるような、適度な堅さと弾力特性を有する緻密な木組織の樹種を使用した場合、汗や汚れに対しても水拭きだけでその対処が容易で軽微な維持負担での快適使用継続を可能とする。
日常を無機質で無味乾燥な電子部材に囲まれている作業環境のなかで、無垢の木材が持つ特有の手触り感と暖かさにはストレス解消と癒しの心理効果が期待され、また、それぞれに異なる木目模様の個性的なゆらぎや質感等の固体別特徴により、長期の使用頻度に比例して専用意識が芽生え、日常の手入を楽しめる等の精神的なリラックス効果が望める。
【発明を実施するための最良の形態】
【００１０】
本発明の補助プレートＢの素材については、上述する通り自然木等の調湿機能及びそれに伴う呼吸性等の質感を有する材質が望ましく、試作の例としては自然木の桧無垢板目（厚さ１０ミリ、長さ４２０ミリ、幅58ミリ）を使用し、木地研磨を最終＃４００番程度とした上に酸素透過性を有する浸透性自然塗料を塗布し、乾燥後の塗面研磨を＃６００番程度にて軽く丁寧に行い、交互にその塗装工程を３〜４回繰り返して非常に滑らかな表面仕上げとした。
【図面の簡単な説明】
【００１１】
【図１】使用断面図
【図２】形状平面図
【図３】機能断面図
【符号の説明】
【００１２】
Ａ  キーボード
Ｂ  補助プレート
Ｃ  弾性半球体
Ｄ  弾性小クッション
Ｅ  手首支点位置
Ｒ  支点移動幅
Ｂ１  補助プレート移動位置
Ｅ１  手首支点移動位置
Ｆ  プレート長さ
Ｇ  プレート幅
Ｙ  机上面
【図１】
2008090691.tif 000003
【図２】
2008090691.tif 000004
【図３】
2008090691.tif 000005
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
デスクトップ型コンピューターのキーボード補助プレートにおいて、作業時の軽微な重心変動により操作範囲を拡大させる回動支点として、弾性素材からなる弾性半球体（Ｃ）を、前記補助プレート（Ｂ）の左右底面に於ける幅（Ｇ）の中央部の所定位置に取り付けたことを特徴とするキーボード補助プレート。
【手続補正２】
【補正対象書類名】明細書
【補正対象項目名】０００６
【補正方法】変更
【補正の内容】
【０００６】
調湿機能を有する木質素材からなる補助プレートＢを、使用断面図（図１）に見られる断面形状となる様に緩やかな曲面加工を施し、平面図（図２）に示すようにキーボードＡの横幅に準じた長方形とし、その底面左右の所定位置に請求項１に記載する弾性素材からなる半球体Ｃをそれぞれ取り付け、使用時の僅かなバランス変動によるパンチング操作の範囲拡大を成す機能に加え、更に弾性小パッキンＤを手元端部の底面左右の所定位置に取り付けることで、操作時の消音機能が付加された補助プレートＢが構成される。
【手続補正３】
【補正対象書類名】明細書
【補正対象項目名】０００７
【補正方法】変更
【補正の内容】
【０００７】
使用断面図（図１）に示すように、補助プレートＢへの弾性半球体Ｃの有効取り付け位置を、手元端部の底面にある弾性小パッキンＤが机上面Ｙへ接触し、補助プレートＢが手元側への傾斜形状を辛うじて保持できる重心の範囲とし、左右底面における幅Ｇの中央部の所定位置に弾性半球体Ｃを取り付け、機能断面図（図３）に示すように補助プレートＢが前倒作動する際、手首可動支点Ｅの僅かな重心変動に伴い、弾性半球体Ｃが前方へ回動して手首可動支点位置が（ＥからＥ１へ）前進し、補助プレートＢ上の手首が必然的に前方へ移動することによって、その移動距離（Ｒ）相当分だけ指先が伸びてキーボードＡ上の操作範囲が拡大する結果となり、補助プレートＢ上に手を乗せたままで広範囲な指先操作が可能と成る。図３参照
【手続補正４】
【補正対象書類名】明細書
【補正対象項目名】０００８
【補正方法】変更
【補正の内容】
【０００８】
補助プレートＢの手元底辺端部と机上面Ｙとの接触によって発生する打音を解消するため、手元端部の左右底面の所定位置に、弾性素材からなる消音吸収材となる小パッキンＤを付設し、消音効果を計ると共に、この弾性小パッキンＤによって机上Ｙと補助プレートＢとの間に生み出される空間が、木質素材である補助プレートＢの撓みとなって腕の加重を吸収緩和し、作業による慢性疲労の減少効果を発揮する。
尚、調湿機能を有する木質材の表面処理を細やかな木地研磨仕上げとし、自然調湿塗料による繊細な研磨塗装を施し、汗や湿気によるベタつきが無くサラサラで滑らかな仕上とすることにより、手首を補助プレートＢ上に接触させたまま、左右へ滑らかにスライドさせて横方向への可動支点移動が容易となり、前後の支点回動に加えて無意識操作による全方位自在操作が可能となる。
【手続補正５】
【補正対象書類名】明細書
【補正対象項目名】０００９
【補正方法】変更
【補正の内容】
【０００９】
本補助プレートＢは、研磨加工した木板の左右底面に弾性半球体を取り付けただけの単純構造により、安価に製作することが可能であるだけでなく、日常のメンテナンスも容易であり、その利便性と効果に対比する実用上の維持負荷は微小といえる。
又、無機質な電子機器に囲まれている日常環境において、無垢の木材が持つ手触り感と暖かさにはストレス解消と癒しの心理効果が期待され、また、木質素材特有の個性的な木目模様のゆらぎや質感等により、長期使用においてもリラックス効果と自己所有意識が望めることに加え、自然動作のなかで無意識に操作性が向上することにより、心身共に日常の疲労蓄積から開放される。
尚、その素材は上述したように調湿機能を有する木質である事が重要で、自然木の桜や桧などに見られるような、適度な堅さと弾力特性を有する緻密な木組織の樹種を使用し、自然調湿塗料によって繊細な仕上を施した場合、静電気の発生も無く日常の汗や汚れに対しても、水拭きだけでその対処が容易であり使用に伴う負荷が少なく快適使用を実現する。